(57)【要約】【課題】  特定の商品に関心の高い特定の顧客を発見可能な情報分析サーバ等を提供する。【解決手段】  情報分析サーバ１０は、外部から配信される番組の放送内容を表すテキスト情報を取得し、取得したテキスト情報を基に当該番組のテーマに合致する商品を分析する分析部１０ａと、取得したテキスト情報から当該商品を広告する対象を示すターゲット情報を抽出する抽出部１０ｂと、ターゲット情報と合致するユーザに対応するユーザ情報と当該商品に関連するウェブサイトの所定期間における閲覧履歴情報に含まれているユーザ情報とが一致するか判定する閲覧判定部１０ｄと、ユーザ情報が一致すると判定された場合、当該ユーザ情報を出力する顧客情報管理部１０ｅとを備える。【選択図】      図１２
2017142748.tif 000002
【特許請求の範囲】
【請求項１】
外部から配信される番組の放送内容を表すテキスト情報を取得し、取得した前記テキスト情報を基に当該番組のテーマに合致する商品を分析する分析部と、
取得した前記テキスト情報から当該商品を広告する対象を示すターゲット情報を抽出する抽出部と、
前記ターゲット情報と合致するユーザに対応するユーザ情報と、
当該商品に関連するウェブサイトの所定期間における閲覧履歴情報に含まれているユーザ情報とが一致するか判定する閲覧判定部と、
前記ユーザ情報が一致すると判定された場合、当該ユーザ情報を、出力する顧客情報管理部
とを備える情報分析サーバ。
【請求項２】
前記分析部は、前記テキスト情報と共に、前記番組の放送日時および放送エリア情報を取得し、
前記所定期間は、前記放送日時の前後所定期間であり、
前記検索部は、前記ユーザ情報に含まれる当該ユーザの住所が前記放送エリア情報に含まれていることも含めて前記検索を行う、
請求項１に記載の情報分析サーバ。
【請求項３】
前記顧客情報管理部は、前記ユーザ情報を、前記商品を販売する担当グループ毎または担当者毎に、分けて出力する、
請求項１または２に記載の情報分析サーバ。
【請求項４】
取得した前記テキスト情報において、前記分析された前記商品が肯定的であるかを判断する判断部を更に備え、
前記抽出部は、前記判断部によって前記肯定的であると判断された場合に、前記ターゲット情報を抽出する、
請求項１乃至３のいずれかに記載の情報分析サーバ。
【請求項５】
前記テキスト情報には、前記番組の放送前に配信されるテキスト要約情報が含まれる、
請求項１乃至４のいずれか記載の情報分析サーバ。
【請求項６】
前記テキスト情報には、前記番組の放送後に配信されるテキスト全文情報が含まれる、
請求項１乃至５のいずれかに記載の情報分析サーバ。
【請求項７】
前記顧客情報管理部が送信する前記ユーザ情報には、前記ユーザ情報に対応するユーザが閲覧した前記番組または前記ウェブサイトの少なくとも片方を特定可能な情報が含まれる、
請求項１乃至６のいずれかに記載の情報分析サーバ。
【請求項８】
請求項１乃至５のいずれかに記載の情報分析サーバと、
前記ウェブサイトの運営及び前記閲覧履歴情報を管理するウェブサイトサーバと、
前記顧客情報管理部が送信する前記ユーザ情報を、当該商品を販売する担当者が属するエリアにおいて閲覧可能に提示する販売サーバ
とを備える情報分析システム。
【請求項９】
外部から配信される番組の放送内容を表すテキスト情報を取得し、取得した前記テキスト情報を基に当該番組のテーマに合致する商品を分析し、
取得した前記テキスト情報から当該商品を広告する対象を示すターゲット情報を抽出し、
前記ターゲット情報と合致するユーザに対応するユーザ情報と、当該商品に関連するウェブサイトの所定期間における閲覧履歴情報に含まれているユーザ情報が一致するか判定し、
前記ユーザ情報が一致すると判定された場合、当該ユーザ情報を出力する
情報分析方法。
【請求項１０】
外部から配信される番組の放送内容を表すテキスト情報を取得し、取得した前記テキスト情報を基に当該番組のテーマに合致する商品を分析し、
取得した前記テキスト情報から当該商品を広告する対象を示すターゲット情報を抽出し、
前記ターゲット情報と合致するユーザに対応するユーザ情報と、当該商品に関連するウェブサイトの所定期間における閲覧履歴情報に含まれているユーザ情報とが一致するか判定し、
前記ユーザ情報が一致すると判定された場合、当該ユーザユーザ情報を出力することをコンピュータに実行させる情報分析プログラム。
【発明の詳細な説明】
【技術分野】
【０００１】
本発明は、膨大な情報を分析し、特定の顧客情報を抽出する情報分析サーバ等の技術に関する。
【背景技術】
【０００２】
広告会社または商品を販売する企業側にとっては、広告する商品を購買しそうな顧客に広告を配信することは最大の目的であり、課題である。広告する商品を購買しそうな顧客を発見するために、様々な技術が開発され、開示されている。
【０００３】
特許文献１は、店舗のチラシの特売情報や、地域公報を配信し、その中からユーザが所望する情報をスケジュールとして格納させる技術を開示する。
【０００４】
特許文献２は、テレビコマーシャル等の広告の実施による売り上げの変化を迅速に調査する地域密着型のマーケティング技術を開示する。
【０００５】
特許文献３は、スポンサー及び一般視聴者（消費者）の間で、どの広告用ボタンが何時アクセスされたかを把握することで、消費者がどの時間帯にどのような商品等に興味を持つかを調査可能な双方向テレビシステムを用いた情報処理の技術を開示する。
【先行技術文献】
【特許文献】
【０００６】
【特許文献１】特開２０１２−１２８６０８号公報
【特許文献２】特開２００１−３３１６２６号公報
【特許文献３】特開２０００−２０９５６４号公報
【発明の概要】
【発明が解決しようとする課題】
【０００７】
しかしながら、特許文献１〜３に記載の技術は、顧客先を訪問して商品を売り込む訪問販売の営業においては、効果が薄い。訪問販売営業においては、商品に関心の高い顧客を予め絞り込み、絞り込まれた顧客を営業担当者が訪問することで、販売効率を上げることができる。しかしながら、特定の商品に関心の高い特定の顧客を発見することは容易ではない。
【０００８】
本発明は、上記の問題点を解決するべくなされた。本発明は、特定の商品に関心の高い特定の顧客を発見可能な情報分析サーバ等を提供することを主たる目的とする。
【課題を解決するための手段】
【０００９】
上記の課題を解決するために、本発明の第１の観点は、
外部から配信される番組の放送内容を表すテキスト情報を取得し、取得したテキスト情報を基に当該番組のテーマに合致する商品を分析する分析部と、
取得したテキスト情報から当該商品を広告する対象を示すターゲット情報を抽出する抽出部と、
ターゲット情報と合致するユーザに対応するユーザ情報と、当該商品に関連するウェブサイトの所定期間における閲覧履歴情報に含まれているユーザ情報とが一致するか判定する閲覧判定部と、
ユーザ情報が一致すると判定された場合、当該ユーザ情報を、出力する顧客情報管理部
とを備える情報分析サーバである。
【００１０】
本発明の第２の観点は、
上記に記載の情報分析サーバと、
ウェブサイトの運営及び閲覧履歴情報を管理するウェブサイトサーバと、
顧客情報管理部が送信するユーザ情報を、当該商品を販売する担当者が属するエリアにおいて閲覧可能に提示する販売サーバ
とを備える情報分析システムである。
【００１１】
本発明の第３の観点は、
外部から配信される番組の放送内容を表すテキスト情報を取得し、取得したテキスト情報を基に当該番組のテーマに合致する商品を分析し、
取得したテキスト情報から当該商品を広告する対象を示すターゲット情報を抽出し、
ターゲット情報と合致するユーザに対応するユーザ情報と、当該商品に関連するウェブサイトの所定期間における閲覧履歴情報に含まれているユーザ情報とが一致するか判定し、
ユーザ情報が一致すると判定された場合、当該ユーザ情報を、出力する
情報分析方法である。
【００１２】
本発明の第４の観点は、
外部から配信される番組の放送内容を表すテキスト情報を取得し、取得したテキスト情報を基に当該番組のテーマに合致する商品を分析し、
取得したテキスト情報から当該商品を広告する対象を示すターゲット情報を抽出し、
ターゲット情報と合致するユーザに対応するユーザ情報と、当該商品に関連するウェブサイトの所定期間における閲覧履歴情報に含まれているユーザ情報とが一致するか判定し、
ユーザ情報が一致すると判定された場合、当該ユーザ情報を、出力する
ことをコンピュータに実行させる情報分析プログラムである。
【発明の効果】
【００１３】
本発明によれば、特定の商品に関心の高い特定の顧客を発見可能な情報分析サーバ等を提供することができる。
【図面の簡単な説明】
【００１４】
【図１】本発明の第１の実施形態における情報分析システムの構成例を示す図である。
【図２】第１の実施形態における情報分析サーバの内部構成例を示す図である。
【図３】ターゲット情報記憶部に格納されるターゲット情報のデータ構成の例を示す図である。
【図４】情報分析サーバによる肯定的分析結果と、ウェブサイトサーバにおける閲覧履歴のウォッチ期間の関係を時系列で示す図である。
【図５】第１の実施形態におけるユーザ管理サーバの内部構成例を示す図である。
【図６】ユーザ情報記憶部に格納されるユーザ情報のデータ構成の例を示す図である。
【図７】第１の実施形態におけるウェブサイトサーバの内部構成例を示す図である。
【図８】ウェブサイト閲覧履歴記憶部に格納されるウェブサイト閲覧履歴情報のデータ構成の例を示す図である。
【図９】第１の実施形態における販売サーバの内部構成例を示す図である。
【図１０】販売担当記憶部に格納されるウェブサイト販売担当情報のデータ構成の例を示す図である。
【図１１】第１の実施形態における情報分析サーバの動作例を示すフローチャートである。
【図１２】第２の実施形態における情報分析サーバの内部構成例を示す図である。
【図１３】各実施形態をソフトウェアで構成する場合の情報処理装置の構成例を示す図である。
【発明を実施するための形態】
【００１５】
次に図面を参照して、本発明の実施形態を説明する。以下の図面の記載において、同一又は類似の部分には同一又は類似の符号を付している。ただし、図面は本発明の実施形態における構成を模式的に表している。更に以下に記載される本発明の実施形態は一例であり、その本質を同一とする範囲において適宜変更可能である。
【００１６】
＜第１の実施形態＞
（情報分析システム）
本発明の第１の実施形態に係る情報分析システム１００の構成例について図１を参照して説明する。
【００１７】
本発明の第１の実施形態に係る情報分析システム１００は、情報分析サーバ１、テレビ局サーバ２、ユーザ管理サーバ３、ウェブサイトサーバ４、販売サーバ５およびユーザ端末６を備える。これらの装置等はインターネット等の有線、無線またはこれらを組み合わせたネットワーク７を介して、データ通信可能に設定されている。尚、以下の実施形態においては、例としてテレビ番組を情報源として用いた場合について説明するが、これは所定時間にある地区にて一斉配信される情報であればよい。例えば、ラジオ番組等であってもよい。
【００１８】
テレビ局サーバ２は、テレビ局側に備えられるサーバであり、視聴者であるユーザに対してテレビ番組放送を電波、有線ケーブル、又は無線通信等で配信する。更に、テレビ局サーバ２は、各テレビ番組に対応する情報、例えばＧガイド情報を配信する。Ｇガイド情報には番組名、放送地域、放送予定日時、番組内容の要約、番組の画像等が含まれている。テレビ局サーバ２は、テレビ局の数分存在してよい。
【００１９】
ユーザ端末６は、テレビを視聴し、且つ、商品を購入する可能性のあるユーザが所持する端末である。具体的にユーザ端末６とは、パーソナルコンピュータ、タブレット端末、スマートフォン等を指す。
【００２０】
ユーザ管理サーバ３は、ユーザおよびユーザ端末６に関する情報を管理するサーバである。
【００２１】
ウェブサイトサーバ４は、ユーザが商品を購買可能なウェブサイトを運営するサーバである。ウェブサイトサーバ４は、この他、商品に関連し、且つ、ユーザにとって有益な情報を記載したページを提供する（例えば医療保険商品であれば、怪我予防の為の体操方法、病気予防のための料理のレシピ、特定キャンペーンの申込受付等）。ユーザは当該商品を購入、又は、有益なページを閲覧するために、ユーザ端末６を介し、自己を特定可能な情報を含むユーザ情報を当該ウェブサイトサーバ４に提供する。ウェブサイトサーバ４は、入力されたユーザ情報をユーザ管理サーバ３に送信し、ユーザ管理サーバ３はこのユーザ情報を登録する。登録が完了すると、ユーザ管理サーバ３又はウェブサイトサーバ４は、ユーザ端末６に対してユーザＩＤ（IDentifier）を発行する。ユーザ端末６は、発行されたユーザＩＤを用いて、ウェブサイトサーバ４上で、商品を購入、又は、有益な情報を入手すること等ができるようになる。
【００２２】
情報分析サーバ１は、テレビ局サーバ２が配信する各テレビ番組を紹介する情報等をテキスト情報として取得する。テキスト情報には、当該テレビ番組情報の詳細な内容、例えばテレビ番組で放送された日本語等の字幕等を含めても良い。情報分析サーバ１は、取得したテキスト情報を基に当該テレビ番組のテーマを分析し、当該テーマに基づいてユーザ情報を抽出する。更に、情報分析サーバ１は、抽出されたユーザ情報に係るユーザが、当該テーマに関連する商品をウェブサイトサーバ４において所定時間内に閲覧したかを判断する。これにより情報分析サーバ１は、番組のテーマのターゲットに合致し、且つ、当該テーマに関連する商品をウェブサイトサーバ４において閲覧したユーザ、即ち、当該商品に強い興味を示しているユーザのユーザ情報を発見する。
【００２３】
販売サーバ５は、情報分析サーバ１から、当該商品に強い興味を示しているユーザのユーザ情報を取得する。販売サーバ５は、販売担当者の販売担当地区毎に設置される。販売担当者は、販売サーバ５を介して、自分が担当する地区に居住、通勤等するユーザの情報を取得し、当該情報を基に、訪問販売の予定を設定する。
【００２４】
尚、図１においては、各サーバ１〜５は物理的に独立して存在しているが、これは一例にすぎず、サーバ１〜５の一部又は全部が一つのサーバとして設計されても良い。
（情報分析サーバ）
情報分析サーバ１について図２を参照して詳細に説明する。情報分析サーバ１は、情報入力部１ａ、抽出部１ｂ、分析部１ｃ、判断部１ｄ、ターゲット抽出部１ｅ、期間設定部１ｆ、検索部１ｇ、閲覧判定部１ｈ、顧客情報管理部１ｉおよびターゲット情報記憶部１ｊを備える。
【００２５】
情報入力部１ａは、外部からデータを取得し、取得したデータを各部に引き渡す。情報入力部１ａは、データの放送情報とテキスト情報とを外部から取得する。
【００２６】
放送情報とは、テレビ番組の放送前から配信される、各テレビ番組の放送局、放送日時、放送地域等の情報である。放送情報は、各放送局が約１週間前から配信する番組表等から取得する。
【００２７】
テキスト情報とは、テレビ番組の内容をテキストで表した情報である。テキスト情報には、テキスト要約情報と、テキスト全文情報がある。
【００２８】
テキスト要約情報とは、番組の放送前に配信される、テレビ番組の内容を要約されたテキスト情報を指す。具体的には、各放送局が配信するＧガイド情報に含まれる番組の要約等である。Ｇガイド情報には、番組放送予定日の約１週間前から配信予定のテレビ番組のテキスト要約情報が開示される。
【００２９】
テキスト全文情報とは、番組の放送後に配信される、テレビ番組において発話された内容を全てテキスト化した情報、例えば日本語等の字幕テキストを指す。テキスト全文情報は、各放送局から取得する、番組放送中の字幕テキストを転記する、又は、音声テキスト変換装置を用いて取得する。尚、このような字幕提供サービス業者から字幕テキストを購入等しても良い。
【００３０】
情報入力部１ａは、この他にも、ユーザ情報、ウェブサイト閲覧履歴等を外部から受信する。
【００３１】
抽出部１ｂは、情報入力部１ａから放送情報を取得し、当該放送情報から放送局毎の「テレビ番組」、「放送日時」、「放送地域」等を抽出する。放送情報にはテレビ番組を識別可能な番組ＩＤが含まれていても良い。
【００３２】
分析部１ｃは、情報入力部１ａからテキスト情報を取得し、当該テキスト情報を分析して、テキスト情報に関連するテーマと、当該テーマに関連する商品情報を抽出する。テキスト情報に関連するテーマとしては、例えば、テキスト情報に「交通事故」、「病院」、「入院」、「高度な将来医療」等の言葉が含まれていると、テーマを「医療保険」と分析し、商品情報として「医療保険商品」を抽出する。この他、テキスト情報に「子供」、「受験」、「学費」、「高額」等の言葉が含まれていると、テーマを「学費保険」と分析し、商品情報として「学費保険商品」を抽出する。商品情報には商品を識別可能な商品ＩＤが含まれていても良い。
【００３３】
判断部１ｄは、情報入力部１ａからテキスト情報を、分析部１ｃから抽出されたテーマ及び商品情報を取得し、当該テキスト情報の内容が、抽出されたテーマを肯定的（ポジティブ）に扱っているか、それとも否定的（ネガティブ）に扱っているかを判断する。例えば、「医療保険」というテーマに対し、テキスト情報に「安心」、「備え」、「加入」等の言葉が含まれていると、肯定的であると判断する。逆に、テキスト情報に「無駄」、「家計の負担」等の言葉が含まれていると、否定的であると判断する。判断部１ｄとしては、既存の情報抽出システム（国際公開２０１４/０６５３２９号公報参照）等を使用してもよい。
【００３４】
ターゲット情報記憶部１ｊは、ターゲット抽出部１ｅが抽出するターゲット情報を記憶する。詳細は後述する。
【００３５】
ターゲット抽出部１ｅは、判断部１ｄがテーマを肯定的に扱っていると判断した場合に、当該テーマの抽出元であるテキスト情報からターゲット情報を抽出する。ターゲット情報は図３に示すように、項目の一例として、「番組ＩＤ」、「テーマ」、「商品ＩＤ」、「ターゲット性別」、「ターゲット年齢層」および「ターゲット地域」等がある。番組ＩＤは、テレビ番組を識別可能な識別子である。テーマは、分析部１ｃによって抽出されたテーマである。商品ＩＤは、分析部１ｃによって抽出された関連する商品の識別子である。ターゲット性別およびターゲット年齢層は、ターゲット抽出部１ｅによってテキスト情報から抽出される、商品を購入しそうな顧客の性別および年齢層である。ターゲット地域は、抽出部１ｂによって抽出される放送地域（放送エリア情報）である。
【００３６】
尚、情報分析サーバ１、ウェブサイトサーバ４、ユーザ管理サーバ３又は販売サーバ５の少なくとも１つにおいて、番組マスタおよび商品マスタ（いずれも不図示）を備えている。番組マスタは、番組ＩＤを基に、番組名、放送日時等の番組に付随する情報を記憶する。商品マスタは、商品ＩＤを基に、商品名、価格、在庫、取扱店舗等の商品に付随する情報を記憶する。
【００３７】
例えば、岩手放送局にて放送されるあるテレビ番組（ＩＤを１とする）のテキスト情報に「交通事故」、「病院」、「入院」、「高度な将来医療」、「女性特有」、「高齢化」、「６０代」という言葉が含まれているとする。この場合、ターゲット抽出部１ｅは、ターゲット情報として、番組ＩＤ「１」、テーマ「事故、病気」、関連する商品「医療保険（ＩＤ＝１０）」、ターゲット性別「女性」、ターゲット年齢層「６０歳以上」、ターゲット地域「岩手」を抽出し、ターゲット情報記憶部１ｊに格納する。
【００３８】
期間設定部１ｆは、ウォッチ期間を設定する。ウォッチ期間とは、ユーザ端末６がウェブサイトサーバ４において、ある商品に関連するページを閲覧した履歴を監視する期間である。このウォッチ期間について図４を参照して説明する。情報分析サーバ１において、番組Ａのテキスト情報が入力され、分析の結果、テーマａが得られ、テキスト情報はテーマａに対して肯定的であったとする（図４に示す番組Ａのフロー参照）。この場合、期間設定部１ｆは当該番組Ａに対してポジティブであることを示すポジティブトリガを立て、ウェブサイトサーバ４に対し、テーマａに関連する商品サイトの閲覧履歴として、所定期間（例えば、○月○日○時から△月△日△時まで）後にユーザ端末６がその商品サイトを閲覧した履歴を送信するよう依頼する。所定期間の完了後、期間設定部１ｆは、当該番組Ａに対するポジティブトリガを消去する。尚、ユーザが、ユーザ端末６を介し、ウェブサイトサーバ４が提供するサイトを閲覧するには、上述のように、ユーザ情報の提供およびユーザＩＤを用いたログイン処理が必要となる。このため、ウェブサイトサーバ４はログイン時にユーザを特定することができる。尚、番組Ｂのフロー（図４参照）の様に、番組Ｂのテーマｂに対して、テキスト情報がネガティブな場合、期間設定部１ｆは、ネガティブであることを示すネガティブトリガを設定し、ウォッチ期間の設定は行わない。
【００３９】
尚、期間設定部１ｆは、入力されるテキスト情報がテキスト要約情報であれば、Ｇガイド情報取得時から番組放送開始時前までの期間を所定期間に設定する。また、期間設定部１ｆは、入力されるテキスト情報がテキスト全文情報であればテレビ番組の放送後から所定の時間（例えば、１週間）を所定期間に設定する。
【００４０】
検索部１ｇは、ある商品のターゲット情報（図３参照）と一致するユーザの情報を検索するようユーザ管理サーバ３に依頼し、ユーザ管理サーバ３から検索結果となる情報として、ある商品のターゲット情報と一致するユーザのユーザ情報を得る。検索部１ｇは、ユーザ情報に含まれるユーザの住所が、放送エリア情報に含まれていることも考慮して検索を行う。ユーザ管理サーバ３についての詳細は後述する。
【００４１】
閲覧判定部１ｈは、ターゲット情報と合致するユーザに対応するユーザ情報と、当該商品に関連するウェブサイトの所定期間における閲覧履歴情報に含まれているユーザ情報とが一致するか判定する。具体的に、閲覧判定部１ｈは、ウォッチ期間と、ある商品のターゲット情報と一致するユーザのユーザ情報とに基づいて、そのユーザが当該商品に関連するウェブサイトをウォッチ期間中に閲覧しているか否かを判定し、判定結果を出力する。詳細は後述する。
【００４２】
顧客情報管理部１ｉは、閲覧判定部１ｈの判定結果に基づいて、ある商品のターゲット情報と一致しうるユーザの情報であって、当該商品に関連するウェブサイトをウォッチ期間中に閲覧しているユーザのユーザ情報を地域毎に分ける。更に、顧客情報管理部１ｉは、その地域の販売担当グループまたは販売担当者が閲覧する販売サーバ５宛てにユーザ情報を送信する。
（ユーザ管理サーバ）
ユーザ管理サーバ３は、図５に示すように、ユーザ情報管理部３ａおよびユーザ情報記憶部３ｂ等を備える。
【００４３】
ユーザ情報記憶部３ｂは、ユーザ情報を記憶する。ユーザ情報は、図６に示すように、「ユーザＩＤ」、「氏名」、「住所」、「性別」、「生年月日／年齢」「エリア」等の項目から成る。尚、「エリア」とは、ユーザの住所が登録されているエリアであり、かつ、営業担当者毎に配属されている営業活動エリアを指す。
【００４４】
ユーザ情報管理部３ａは、ユーザ情報記憶部３ｂのデータ管理を行う。例えば、ウェブサイトサーバ４のウェブページ閲覧等の目的で、ユーザがユーザ端末６を介しユーザ情報を送信してきたら、当該ユーザ情報をユーザ情報記憶部３ｂに登録し、登録後に当該ユーザ情報に紐付けられたユーザＩＤをユーザ端末６に返信する。この他、ユーザ情報管理部３ａは、ユーザのログイン処理、ユーザ情報の更新および削除等を行う。
（ウェブサイトサーバ）
ウェブサイトサーバ４について図７を参照して説明する。ウェブサイトサーバ４は、ウェブサイト運営部４ａ、ウェブサイト閲覧履歴管理部４ｂおよびウェブサイト閲覧履歴記憶部４ｃ等を備える。
【００４５】
ウェブサイト運営部４ａは、ユーザが商品を購買可能なウェブサイトを運営する。更に、ウェブサイト運営部４ａは、商品に関連し、且つ、ユーザにとって有益な情報を記載したページを提供する。ウェブサイト運営部４ａは、当該ウェブサイトへ対するユーザ端末６のアクセス時には、ユーザログイン処理を要求する。
【００４６】
ウェブサイト閲覧履歴記憶部４ｃは、ユーザ端末６による、ウェブサイトの閲覧履歴を記憶する。ウェブサイト閲覧履歴は、図８に示すように、「サイトＩＤ」、「サイト名」、「商品ＩＤ」、「商品名」、「ユーザＩＤ」、「閲覧日時」および「滞在時間」等のデータ項目から成る。サイトＩＤは、各ウェブサイトを特定するための識別子である。商品ＩＤは、各商品を特定するための識別子であり、ターゲット情報に含まれる商品ＩＤと同じである（図３参照）。ユーザＩＤは、各ユーザを特定するための識別子であり、ユーザ情報に含まれるユーザＩＤと同じである（図６参照）。閲覧日時は、ユーザ端末６が商品ＩＤに関連するウェブサイトにアクセスしてウェブページの閲覧を開始し、終了した日時（例えば、○月○日  ○時○分から△時△分まで）である。滞在時間は、ユーザ端末６がウェブサイトにアクセスしてウェブページを閲覧した時間の長さである。
【００４７】
尚、ウェブサイトサーバ４又は他のサーバ１〜３、５の少なくとも１つにおいて、ウェブサイトマスタ（不図示）を備えている。ウェブサイトマスタは、サイトＩＤを基に、サイト名、サイト内の情報、サイト更新日時等のウェブサイトに付随する情報を記憶する。
【００４８】
ウェブサイト閲覧履歴管理部４ｂは、ウェブサイト閲覧履歴記憶部４ｃの閲覧履歴を管理する。更に、ウェブサイト閲覧履歴管理部４ｂは、閲覧判定部１ｈから、所定ユーザＩＤのユーザが、所定商品ＩＤに関連するウェブサイト（サイトＩＤ）を所定期間中に閲覧した履歴の有無を調査するよう依頼されることがある。この場合、ウェブサイト閲覧履歴管理部４ｂは、当該履歴の有無およびウェブサイト閲覧履歴のデータを閲覧判定部１ｈに送信する。尚、所定期間とは、テレビ番組の放送時刻を挟んだ前後の一定期間を指す。
（販売サーバ）
販売サーバ５について図９を参照して説明する。販売サーバ５は、販売担当管理部５ａおよび販売担当記憶部５ｂ等を備える。
【００４９】
販売担当記憶部５ｂは、販売担当データを記憶する。販売担当データは、図１０に示すように、「担当者ＩＤ」、「エリア」、「ユーザＩＤ」、「番組ＩＤ」および「サイトＩＤ」等の項目から成る。担当者ＩＤは、販売担当者を特定するための識別子である。エリアは、販売担当者が営業を担当するエリアであり、ユーザ情報に含まれるエリアと同様である（図６参照）。ユーザＩＤは、ユーザを特定するための識別子であり、ユーザ情報（図６参照）およびウェブサイト閲覧履歴データ（図８参照）に含まれるユーザＩＤと同様である。番組ＩＤは、テレビ番組を特定するための識別子であり、ターゲット情報に含まれる番組ＩＤ（図３参照）と同様である。
【００５０】
販売担当管理部５ａは、販売担当記憶部５ｂの管理を行う。更に、販売担当管理部５ａは、顧客情報管理部１ｉから、ユーザ情報（あるターゲット情報の商品ＩＤと一致し、且つ、当該商品ＩＤに関連するウェブサイトをウォッチ期間中に閲覧しているユーザ情報）を受信すると、当該ユーザ情報をエリア（図６のユーザ情報、図１０の販売担当データ参照）毎に分ける。この結果、販売サーバ５は、エリア毎の販売担当者に対し、当該ユーザ情報を閲覧可能にする。尚、販売担当データにはユーザが閲覧したテレビ番組の番組ＩＤおよびウェブサイトのサイトＩＤが含まれる。販売担当者は、これらのＩＤを基に、当該ユーザがどのような情報を見ているかを事前に知得することができ、この情報を会話の糸口等にし、販売促進に役立てることが出来る。
（情報分析サーバの動作）
本発明の第１の実施形態に係る情報分析システム１００における情報分析サーバ１の動作について図１１のフローチャートを参照して説明する。
【００５１】
ステップＳ１０１において、情報分析サーバ１の情報入力部１ａは、放送情報（例えば、番組表）をテレビ局サーバ２から取得する。放送情報には、今後一週間において各放送局で放送予定のテレビ番組、番組ＩＤ、放送日時、放送地域等が含まれる。
【００５２】
ステップＳ１０２において、情報分析サーバ１の情報入力部１ａは、テキスト情報をテレビ局サーバ２等から取得する。テキスト情報には、テキスト要約情報と、テキスト全文情報とがある。前述したように、テキスト要約情報とは、各放送局が配信するＧガイド情報に含まれる番組の要約テキスト等である。テキスト全文情報とは、番組の放送後に配信される、テレビ番組において発話された内容を全てテキスト化した情報、例えば日本語等の字幕テキストである。尚、情報入力部１ａは、入力されたテキスト情報を当該フローチャートの処理完了まで一時記憶する。
【００５３】
ステップＳ１０３において、抽出部１ｂは、情報入力部１ａが取得した放送情報を基に、放送局毎の「テレビ番組」、「番組ＩＤ」「放送日時」、「放送地域」等を抽出する。尚、番組ＩＤは情報分析サーバ１が生成しても良い。
【００５４】
ステップＳ１０４において、分析部１ｃは、情報入力部１ａが取得したテキスト情報を分析し、当該テキスト情報に関連するテーマと、当該テーマに関連する商品情報を抽出する。テキスト情報に関連するテーマとしては、例えば、テキスト情報に「病院」、「入院」等の言葉が含まれていると、テーマを「医療保険」と分析し、商品情報として「医療保険商品」等を抽出する。
【００５５】
ステップＳ１０５において、判断部１ｄは、情報入力部１ａが一時記憶するテキスト情報と、分析部１ｃが抽出したテーマ及び商品情報とを取得し、当該テキスト情報の内容が、抽出されたテーマを肯定的（ポジティブ）に扱っているか、それとも否定的（ネガティブ）に扱っているかを判断する。
【００５６】
ステップＳ１０６において、判断部１ｄは、当該テキスト情報の内容が、抽出されたテーマを肯定的に扱っていると判断した場合、処理をステップＳ１０７に進め、否定的に扱っていると判断した場合、本フローチャートの動作を終了する。
【００５７】
ステップＳ１０７において、ターゲット抽出部１ｅは、肯定的に取り扱われている当該テーマの抽出元であるテキスト情報から、ターゲット情報を抽出する。ターゲット情報は図３に示すように、「番組ＩＤ」、「テーマ」、「商品ＩＤ」、「ターゲット性別」、「ターゲット年齢層」および「ターゲット地域」等から構成される。ターゲット抽出部１ｅは、抽出されたターゲット情報を、ターゲット情報記憶部１ｊに格納する。
【００５８】
ステップＳ１０８において、期間設定部１ｆは、ウォッチ期間を設定する。ウォッチ期間とは、ユーザ端末６がウェブサイトサーバ４において、ある商品に関連するページを閲覧した履歴を監視する期間である。更に、期間設定部１ｆは、ウェブサイトサーバ４に対し、テーマａに関連する商品サイトの、ウォッチ期間（所定期間；例えば、○月○日○時から△月△日△時まで）完了後にユーザ端末６の閲覧履歴を送信するよう依頼する。
【００５９】
ユーザが、ユーザ端末６を介し、ウェブサイトサーバ４のウェブサイト運営部４ａが提供するサイトを閲覧するには、ユーザ情報の提供およびユーザＩＤを用いたログイン処理が必要となる。この処理を介し、ウェブサイト閲覧履歴管理部４ｂは、当該ユーザＩＤを基に、ユーザの閲覧履歴を検索し、ウェブサイト閲覧履歴記憶部４ｃに記録する。ウェブサイトサーバ４は、ウォッチ期間の経過後、ウォッチ期間中に閲覧された当該ユーザＩＤに対応するウェブサイト閲覧履歴データをウェブサイト閲覧履歴記憶部４ｃから取得し、情報分析サーバ１に送信する。情報分析サーバ１の情報入力部１ａは、この閲覧履歴データを受信する。
【００６０】
ステップＳ１０９において、検索部１ｇは、商品のターゲット情報（図３参照）と一致するユーザ情報を検索するようユーザ管理サーバ３に依頼し、ユーザ管理サーバ３から検索結果（商品のターゲット情報と一致するユーザの情報）を得る。具体的に検索部１ｇは、商品のターゲット情報（図３参照）の内、「ターゲット性別」、「ターゲット年齢層」、「ターゲット地域」に含まれる（条件が一致する）ユーザ情報を、ユーザ情報記憶部３ｂから検索するように、ユーザ管理サーバ３に依頼する。
【００６１】
尚、検索部１ｇから依頼を受けたユーザ管理サーバ３のユーザ情報管理部３ａは、ユーザ情報記憶部３ｂから、ターゲット情報である「ターゲット性別」、「ターゲット年齢層」、「ターゲット地域」に当てはまるユーザ情報を、「性別」、「生年月日／年齢」「住所（又はエリア）」等の項目を基に検索する。ユーザ情報管理部３ａは、検索されたユーザ情報を、情報分析サーバ１に送信する。情報分析サーバ１の情報入力部１ａは、このユーザ情報を受信する。
【００６２】
ステップＳ１１０において、閲覧判定部１ｈは、受信した、商品のターゲット情報と一致するユーザの情報は、当該商品に関連するウェブサイトをウォッチ期間中に閲覧しているかを判定する。具体的に、閲覧判定部１ｈは、当該商品の商品ＩＤと、当該ユーザ情報に含まれるユーザＩＤとをウェブサイトサーバ４に送信し、当該商品ＩＤおよびユーザＩＤに対応するウェブサイト閲覧履歴の検索を依頼する。
【００６３】
ウェブサイトサーバ４のウェブサイト閲覧履歴管理部４ｂは、当該依頼を受信すると、送信された商品ＩＤおよびユーザＩＤに対応するウェブサイト閲覧履歴をウェブサイト閲覧履歴記憶部４ｃから検索する。ウェブサイト閲覧履歴管理部４ｂは、検索結果であるウェブサイト閲覧履歴を情報分析サーバ１に送信する（ウェブサイト閲覧履歴が無い場合はその旨を情報分析サーバ１に送信する）。
【００６４】
情報分析サーバ１の閲覧判定部１ｈは、ウェブサイト閲覧履歴を受信すると、当該ユーザはウォッチ期間中に当該ウェブサイトを閲覧していたと判断し、処理をステップＳ１１１に進める。尚、ウェブサイト閲覧履歴の「閲覧日時」がＧガイド情報配信直後、又は、当該テレビ番組終了直後である、更に「滞在時間」が所定時間（例えば１５分）よりも長いとする。この場合、閲覧判定部１ｈは、当該ユーザは特に強い興味を持っていると判断し、特別なフラグを立てる、又は、重みづけをする等の処理を行っても良い。
【００６５】
逆に、ウェブサイト閲覧履歴が無い場合、閲覧判定部１ｈは、当該ユーザはウォッチ期間中に当該ウェブサイトを閲覧していない（商品に対する強い興味が無い）と判断し、このフローチャートの処理を終了する。
【００６６】
ステップＳ１１０において、顧客情報管理部１ｉは、閲覧判定部１ｈに閲覧履歴有と判断されたユーザ情報（即ち、商品のターゲット情報と一致し、且つ、当該商品に関連するウェブサイトをウォッチ期間中に閲覧しているユーザの情報）を地域毎に分け、その地域の販売担当者が閲覧する販売サーバ５宛てにユーザの情報を送信する。
【００６７】
販売サーバ５の販売担当管理部５ａは、顧客情報管理部１ｉから、ユーザ情報を受信すると、当該ユーザ情報をエリア（図６のユーザ情報、図１０の販売担当データ参照）毎に分ける。この結果、販売サーバ５は、エリア毎の販売担当者に対し、当該ユーザ情報を閲覧可能な状態にする。尚、販売担当データにはユーザが閲覧したテレビ番組の番組ＩＤおよびウェブサイトのサイトＩＤが含まれる。販売担当者は、これらのＩＤを基に、当該ユーザがどのような情報を見ているかを事前に知得することができ、この情報を会話の糸口等にし、販売促進に役立てることが出来る。
【００６８】
本発明の第１の実施形態によると、特定の商品に関心の高い特定の顧客（ユーザ）情報を発見することができる。これは、情報分析サーバ１が、テレビ局サーバ２から得るテキスト情報のテーマに合致し、且つ、当該テーマに合致するウェブサイトサーバ４を閲覧したユーザ情報を得るからである。
【００６９】
又、販売担当者は、ユーザが閲覧したテレビ番組およびウェブサイトの情報を訪問前に知得することで、円滑に訪問販売を行うことが出来る。
【００７０】
この他、ユーザのウェブサイト閲覧日時が情報発信日時と近い、更に、ウェブサイトでの滞在時間が所定時間以上であるとする。この場合、情報分析サーバ１は、これらの情報も、特別なフラグを立てるまたは重みづけをする等の処理により、訪問前に販売担当者に知得させる。これにより販売担当者は、これらの情報を用いて、より効率的に訪問販売を行うことが出来る。
【００７１】
＜第２の実施形態＞
（情報分析サーバ）
本発明の第２の実施形態に係る情報分析サーバ１０について図１２を参照して説明する。情報分析サーバ１０は、分析部１０ａ、抽出部１０ｂ、閲覧判定部１０ｄおよび顧客情報管理部１０ｅを備える。
【００７２】
分析部１０ａは、外部から配信されるテレビ番組の放送内容を表すテキスト情報を取得し、取得したテキスト情報を基に当該テレビ番組のテーマに合致する商品を分析する。
【００７３】
抽出部１０ｂは、取得したテキスト情報から当該商品を広告する対象を示すターゲット情報を抽出する。
【００７４】
閲覧判定部１０ｄは、ターゲット情報と合致するユーザに対応するユーザ情報と、当該商品に関連するウェブサイトの所定期間における閲覧履歴情報に含まれているユーザ情報とが一致するか判定する。
【００７５】
顧客情報管理部１０ｅは、ユーザ情報が一致すると判定された場合、当該ユーザ情報を出力する。
【００７６】
本発明の第２の実施形態によると、特定の商品に関心の高い特定の顧客情報を発見することができる。これは、分析部１０ａが外部から取得したテキスト情報を基に当該テレビ番組のテーマに合致する商品を分析し、抽出部１０ｂが取得したテキスト情報から当該商品を広告する対象を示すターゲット情報を抽出するからである。更に、閲覧判定部１０ｄが、ターゲット情報と合致するユーザに対応するユーザ情報と、当該商品に関連するウェブサイトの所定期間における閲覧履歴情報に含まれているユーザ情報とが一致するか判定するからである。
（情報処理装置の構成）
上述した本発明の各実施形態において、各サーバ、端末、システム（以下、単に装置と記載）の各構成要素 は、機能単位のブロックを示している。各装置の各構成要素の一部又は全部は、例えば図１３に示すような情報処理装置５００とプログラムとの任意の組み合わせにより実現される。情報処理装置５００は、一例として、以下のような構成を含む。
【００７７】
・ＣＰＵ（Ｃｅｎｔｒａｌ  Ｐｒｏｃｅｓｓｉｎｇ  Ｕｎｉｔ）５０１
・ＲＯＭ（Ｒｅａｄ  Ｏｎｌｙ  Ｍｅｍｏｒｙ）５０２
・ＲＡＭ（Ｒａｎｄｏｍ  Ａｃｃｅｓｓ  Ｍｅｍｏｒｙ）５０３
・ＲＡＭ５０３にロードされるプログラム５０４
・プログラム５０４を格納する記憶装置５０５
・記録媒体５０６の読み書きを行うドライブ装置５０７
・通信ネットワーク５０９と接続する通信インターフェース５０８
・データの入出力を行う入出力インターフェース５１０
・各構成要素を接続するバス５１１
各実施形態における各装置の各構成要素は、これらの機能を実現するプログラム５０４をＣＰＵ５０１が取得して実行することで実現される。各装置の各構成要素の機能を実現するプログラム５０４は、例えば、予め記憶装置５０５やＲＡＭ５０３に格納されており、必要に応じてＣＰＵ５０１が読み出す。なお、プログラム５０４は、通信ネットワーク５０９を介してＣＰＵ５０１に供給されてもよいし、予め記録媒体５０６に格納されており、ドライブ装置５０７が当該プログラムを読み出してＣＰＵ５０１に供給してもよい。
【００７８】
各装置の実現方法には、様々な変形例がある。例えば、各装置は、構成要素毎にそれぞれ別個の情報処理装置５００とプログラムとの任意の組み合わせにより実現されてもよい。また、各装置が備える複数の構成要素が、一つの情報処理装置５００とプログラムとの任意の組み合わせにより実現されてもよい。
【００７９】
また、各装置の各構成要素の一部又は全部は、その他の汎用または専用の回路 、プロセッサ等やこれらの組み合わせによって実現される。これらは、単一のチップ によって構成されてもよいし、バスを介して接続される複数のチップ によって構成されてもよい。
【００８０】
各装置の各構成要素の一部又は全部は、上述した回路等とプログラムとの組み合わせによって実現されてもよい。
【００８１】
各装置の各構成要素の一部又は全部が複数の情報処理装置や回路等により実現される場合には、複数の情報処理装置や回路等は、集中配置されてもよいし、分散配置されてもよい。例えば、情報処理装置や回路等は、クライアントアンドサーバシステム、クラウドコンピューティングシステム等、各々が通信ネットワークを介して接続される形態として実現されてもよい。
【符号の説明】
【００８２】
１        ：情報分析サーバ
１ａ      ：情報入力部
１ｂ      ：抽出部
１ｃ      ：分析部
１ｄ      ：判断部
１ｅ      ：ターゲット抽出部
１ｆ      ：期間設定部
１ｇ      ：検索部
１ｈ      ：閲覧判定部
１ｉ      ：顧客情報管理部
１ｊ      ：ターゲット情報記憶部
２        ：テレビ局サーバ
３        ：ユーザ管理サーバ
３ａ      ：ユーザ情報管理部
３ｂ      ：ユーザ情報記憶部
４        ：ウェブサイトサーバ
４ａ      ：ウェブサイト運営部
４ｂ      ：ウェブサイト閲覧履歴管理部
４ｃ      ：ウェブサイト閲覧履歴記憶部
５        ：販売サーバ
５ａ      ：販売担当管理部
５ｂ      ：販売担当記憶部
６        ：ユーザ端末
７        ：ネットワーク
１０      ：情報分析サーバ
１００    ：情報分析システム
５００    ：情報処理装置
５０１    ：ＣＰＵ
５０３    ：ＲＡＭ
５０４    ：プログラム
５０５    ：記憶装置
５０６    ：記録媒体
５０７    ：ドライブ装置
５０８    ：通信インターフェース
５０９    ：通信ネットワーク
５１０    ：入出力インターフェース
５１１    ：バス
【図１】
2017142748.tif 000003
【図２】
2017142748.tif 000004
【図３】
2017142748.tif 000005
【図４】
2017142748.tif 000006
【図５】
2017142748.tif 000007
【図６】
2017142748.tif 000008
【図７】
2017142748.tif 000009
【図８】
2017142748.tif 000010
【図９】
2017142748.tif 000011
【図１０】
2017142748.tif 000012
【図１１】
2017142748.tif 000013
【図１２】
2017142748.tif 000014
【図１３】
2017142748.tif 000015